(57)【要約】      （修正有）【課題】筺体の載置面を叩くことにより操作を行うことができる表示装置を提供する。【解決手段】画像を表示する表示部２６と、載置面の振動を検出する検出部２４と、前記振動に基づいて前記表示部を制御する操作を実行する制御部２０とを備える。検出部２４は少なくとも一軸方向の加速度を検出する加速度センサを備え、操作者が筺体の載置面が叩くことによって検出される加速度の値が所定の閾値を超えた時に、表示装置の操作を実行する。【選択図】図２
2011227682.tif 000002
【特許請求の範囲】
【請求項１】
画像を表示する表示部と、
載置面の振動を検出する検出部と、
前記振動に基づいて前記表示部を制御する操作を実行する制御部と
を備えることを特徴とする表示装置。
【請求項２】
前記検出部は、加速度を検出する加速度センサを備えることを特徴とする請求項１に記載の表示装置。
【請求項３】
前記検出部は、少なくとも一軸方向の加速度を検出することを特徴とする請求項２に記載の表示装置。
【請求項４】
前記制御部は、前記加速度の値が一定期間、０を含む第１の範囲内に保たれた後に検出された加速度に基づいて前記操作を実行することを特徴とする請求項２または３に記載の表示装置。
【請求項５】
前記制御部は、前記加速度の値が第１の閾値を超えた時に前記操作を実行することを特徴とする請求項４に記載の表示装置。
【請求項６】
前記制御部は、前記加速度の値が第１の閾値を超えた時から所定の期間内に、前記第１の閾値よりも０に近い第２の閾値になった時に前記操作を実行することを特徴とする請求項４に記載の表示装置。
【請求項７】
前記制御部は、前記加速度の値が第１の閾値を超えた時から所定の期間内に、前記第１の閾値と逆符号における第３の閾値を超えた時に前記操作を実行することを特徴とする請求項４に記載の表示装置。
【請求項８】
前記制御部は、前記加速度の値が前記第１の閾値を超えた後、一定期間、第２の範囲内に保たれた場合に前記操作を実行することを特徴とする請求項２または３に記載の表示装置。
【請求項９】
前記検出部により検出した前記加速度を周波数解析することにより前記振動の周波数成分を検出する周波数解析部を備え、
前記制御部は、前記周波数成分において、所定の周波数が最大値となった場合に前記操作を実行することを特徴とする請求項２または３に記載の表示装置。
【請求項１０】
前記制御部は、前記最大値が所定の閾値を超えた場合に前記操作を実行することを特徴とする請求項９に記載の表示装置。
【請求項１１】
前記表示部は、前記画像を投影する投影部であることを特徴とする請求項１〜１０のいずれか一項に記載の表示装置。
【発明の詳細な説明】
【技術分野】
【０００１】
本発明は、表示装置に関するものである。
【背景技術】
【０００２】
打指により操作を行う装着型コマンド入力装置が知られている（例えば、特許文献１参照）。この入力装置によれば、直接機器に触れることなく操作を行うことができる。
【先行技術文献】
【特許文献】
【０００３】
【特許文献１】特開２０００−３２２１８６号公報
【発明の概要】
【発明が解決しようとする課題】
【０００４】
しかし、上述の装着型コマンド入力装置においては、装置を人体につけなければ操作を行うことができなかった。
【０００５】
本発明の目的は、筺体の載置面を叩くことにより操作を行うことができる表示装置を提供することである。
【課題を解決するための手段】
【０００６】
本発明の表示装置は、画像を表示する表示部と、載置面の振動を検出する検出部と、前記振動に基づいて前記表示部を制御する操作を実行する制御部とを備えることを特徴とする。
【発明の効果】
【０００７】
本発明の表示装置によれば、筺体の載置面を叩くことにより操作を行うことができる。
【図面の簡単な説明】
【０００８】
【図１】実施の形態に係るプロジェクタの投影状態を示す斜視図である。
【図２】実施の形態に係るプロジェクタの構成を示すブロック図である。
【図３】実施の形態に係るプロジェクタにおける加速度センサの配置位置を示す図である。
【図４】実施の形態に係るプロジェクタにおいて投影を実行するまでの処理を示すフローチャートである。
【図５】実施の形態に係るプロジェクタにおいて検出した加速度の検出値の強度を示す波形図である。
【図６】実施の形態に係るプロジェクタにおいて検出した加速度の検出値の強度を示す波形図である。
【図７】実施の形態に係るプロジェクタにおいて検出した加速度の値を周波数解析して求められた周波数ごとの強度を示す図である。
【発明を実施するための形態】
【０００９】
以下、図面を参照して本発明の実施の形態に係るプロジェクタについて説明する。図１は、実施の形態に係るプロジェクタ２の投影状態を示す斜視図である。プロジェクタ２の筐体４は、机６の載置面Ｇに載置され、筐体４の前面には、載置面Ｇに対して投影画像８の投影を行うための投影窓１０が設けられている。このプロジェクタ２の操作は、指１２で載置面Ｇを叩くことにより行われる。
【００１０】
図２は、実施の形態に係るプロジェクタ２の構成を示すブロック図である。プロジェクタ２はＣＰＵ２０を備え、ＣＰＵ２０には、机６の載置面Ｇの法線方向の加速度を検出する加速度センサ２４、投影画像８を載置面Ｇに投影する投影部２６、投影部２６により投影される投影画像８の画像データに対して台形補正等を行う画像処理部３６、投影画像８等の種々のデータを記憶するメモリカード３８が接続されている。ここで、投影部２６は、光源であるＬＥＤ光源２８の点灯、消灯及びＬＥＤ光源２８から射出される投影光の光量を調節する電源制御部３０、投影画像８を表示するＬＣＯＳ３２の制御を行う投影制御部３４を備えている。
【００１１】
図３は、実施の形態に係るプロジェクタ２における加速度センサ２４の配置位置を示す図である。加速度センサ２４は、筐体４の底面に配置され、直接机６に接触している。これにより、加速度センサ２４は、筐体４に作用する加速度の中で机６の載置面Ｇの法線方向１４に作用する加速度を検出する。
【００１２】
次に、図４のフローチャートを参照して実施の形態に係るプロジェクタ２において投影を実行するまでの処理について説明する。まず、操作者により、プロジェクタ２が持ち上げられると、ＣＰＵ２０は、加速度センサ２４を制御して筐体４に作用する加速度の検出を行う（ステップＳ１）。ここで、図５は、加速度センサ２４により検出した、筐体４に対して作用する図３に示す法線方向１４の加速度の検出値の強度を示す波形図であり、法線方向１４と波形図の方向（＋方向及び−方向）は一致している。図５に示すように、ｔ０の期間においては、加速度センサ２４は直接手の動きによる加速度を検出するため、加速度の強度の波形は上下方向に大きく振動する。次に、操作者により、筐体４が机６の載置面Ｇに載置されると、載置時の衝撃により加速度の強度の波形は一旦上方向に大きく振動し、この振動が収まったｔ０１の時点から加速度の強度の波形は安定する。
【００１３】
ここで、ＣＰＵ２０は、加速度の強度が所定の期間、所定の閾値の範囲内に保たれたか否か、例えば、図５において、ｔ１の期間、加速度の強度が閾値＋Ｔｈ１から閾値−Ｔｈ１の範囲内に保たれたか否かの判定を行う（ステップＳ２）。なお、所定の期間及び所定の閾値は操作者が任意に設定することができるようにしてもよい。次に、ＣＰＵ２０は、加速度の強度が所定の期間、所定の閾値の範囲内に保たれなかった場合には（ステップＳ２：Ｎｏ）、判定を繰り返し（ステップＳ２）、加速度の強度が所定の期間、所定の閾値の範囲内に保たれた場合には（ステップＳ２：Ｙｅｓ）、筐体４に作用する加速度の中で操作を実行するための加速度を検出する検出モードに移行する（ステップＳ３）。
【００１４】
次に、ＣＰＵ２０は、加速度の強度が所定の閾値を超えたか否かの判定を行う（ステップＳ４）。例えば、検出モードに移行した状態において、載置面Ｇが指１２で一回叩かれる場合、図６に示すように、加速度の強度の波形は再び上下方向に大きく振動する。ここで、ＣＰＵ２０は、この加速度の強度が閾値＋Ｔｈ２を超えたか否かの判定を行う。加速度の強度が閾値＋Ｔｈ２を超えなかった場合には（ステップＳ４：Ｎｏ）、判定を繰り返し（ステップＳ４）、加速度の強度が閾値＋Ｔｈ２を超えた場合には（ステップＳ４：Ｙｅｓ）、ＣＰＵ２０は、プロジェクタ２の操作を実行する（ステップＳ５）。
【００１５】
例えば、加速度の強度が閾値＋Ｔｈ２を超えた場合、ＣＰＵ２０は、投影部２６に投影開始の指示を行い、メモリカード３８から画像データを読み出して、投影制御部３４により画像データに基づく画像をＬＣＯＳ３２に表示する。また、電源制御部３０は、投影開始の指示により、ＬＥＤ光源２８から射出される光を予め設定された所定の輝度に調整して点灯し、図１に示すように投影窓１０から所定の角度で斜下方向に投影光を射出し、載置面Ｇ上に投影画像８を表示する。
【００１６】
この実施の形態に係るプロジェクタ２によれば、筺体４の載置面Ｇを指１２で叩くことにより、プロジェクタ２の操作を行うことができる。
【００１７】
なお、上述の実施の形態においては、加速度の強度が一つの閾値を超えた場合にプロジェクタ２の操作を実行しているが、例えば、図６において、加速度の強度が閾値＋Ｔｈ２を超えた時から約半波長分であるｔ２の期間内に、閾値＋Ｔｈ２よりも０に近い閾値＋Ｔｈ３になった時にプロジェクタ２の操作を実行するようにしてもよい。また、図６において、加速度の強度が閾値＋Ｔｈ２を超えた時から約一波長分であるｔ３の期間内に、０になった時にプロジェクタ２の操作を実行するようにしてもよい。また、図６において、加速度の強度が閾値＋Ｔｈ２を超えた時からｔ３の期間内に、閾値＋Ｔｈ２と反対符号側の閾値である閾値−Ｔｈ４を超えた時にプロジェクタ２の操作を実行するようにしてもよい。なお、加速度の強度が閾値＋Ｔｈ３や０になったか否かについては、強度が閾値の＋方向側から−方向側に移行した場合、−方向側から＋方向側に移行した場合、強度が閾値に収束した場合の何れか一つを満たす場合に加速度の強度が閾値になったと判定する。また、図６において、加速度の強度が閾値＋Ｔｈ２を超えた後の期間であるｔ４の期間において、加速度の強度が閾値＋Ｔｈ３から閾値−Ｔｈ３の範囲内に保たれた場合にプロジェクタ２の操作を実行するようにしてもよい。
【００１８】
また、上述の実施の形態においては、加速度の強度が所定の閾値を超えたか否か、または、閾値になった否かを判定することによりプロジェクタ２の操作を行っているが、加速度センサ２４によって検出した加速度の強度を周波数解析する周波数解析部を備え、所定の周波数が最大値となった場合にプロジェクタ２の操作を行うようにしてもよい。例えば、図７は、周波数解析部により加速度の検出値を周波数解析して求められた周波数ごとの強度を示す図であるが、図７に示すように周波数ｆ１の近傍の周波数が最大になった場合にプロジェクタ２の操作を行うようにしてもよい。また、さらに最大値の強度が所定の閾値Ｔｈ５を超えた場合にプロジェクタ２の操作を行うようにしてもよい。
【００１９】
また、上述の実施の形態においては、プロジェクタ２の操作として、投影画像８の投影を開始する場合を例に説明しているが、加速度の検出値の強度が所定の閾値を超えた場合に、例えば、投影画像８の送り及び戻し、投影画像８の投影の終了、スライドショー表示の開始、一時停止、終了など、投影に関する一般的な操作の何れかを行うようにしてもよい。
【００２０】
また、上述の実施の形態においては、加速度センサ２４により筐体４に作用する加速度を検出しているが、振動を検出する機能を備えたセンサであれば種類は問わない。例えば、筐体４の底面にマイクを配置し、マイクにより載置面Ｇの音声の振動を検出するようにしてもよい。
【００２１】
また、上述の実施の形態においては、加速度センサ２４は直接机６に接触しているが、間接的に机６に接触するようにしてもよい。例えば、筐体４を構成する剛体である部材を介して机６に接触するようにしてもよい。
【００２２】
また、上述の実施の形態においては、筐体４及び机６の材質を明記していないが、加速度センサ２４が筐体４に作用する加速度を検出し、ＣＰＵ２０が検出した加速度の強度に基づいてプロジェクタ２の操作を行うことができれば筐体４及び机６の材質は問わない。
【００２３】
また、上述の実施の形態においては、加速度センサ２４は、図３に示すように、載置面Ｇの法線方向１４に作用する一軸方向の加速度を検出しているが、複数軸方向の加速度を検出するようにしてもよい。例えば、法線方向１４と直交し、載置面Ｇと平行方向の加速度、さらにこれと載置面Ｇ面内において直交する方向の加速度を検出し、これらのうち少なくとも一つの方向の加速度の検出値の強度が閾値＋Ｔｈ２を超えた場合に投影画像８の投影を開始するようにしてもよい。
【００２４】
また、上述の実施の形態においては、机６の載置面Ｇに投影画像の投影を行っているが、投影画像は、壁や床など、他の平面に投影してもよい。また、球のような曲面体や移動物体などに投影してもよい。
【００２５】
また、上述の実施の形態においては、表示装置としてプロジェクタ２を例に説明したが、筐体の載置面を叩くことにより操作を行う機能を備えていれば、デジタルフォトフレームやデジタルカメラ等、他の表示装置においても本発明を適用することができる。
【符号の説明】
【００２６】
２…プロジェクタ、４…筐体、６…机、８…投影画像、１０…投影窓、１２…指、２０…ＣＰＵ、２４…加速度センサ、２６…投影部、３８…メモリカード
【図１】
2011227682.tif 000003
【図２】
2011227682.tif 000004
【図３】
2011227682.tif 000005
【図４】
2011227682.tif 000006
【図５】
2011227682.tif 000007
【図６】
2011227682.tif 000008
【図７】
2011227682.tif 000009